【事件の表示】
　平成１０年特許願第　２５９６７号「積層型インダクタアレイ」拒絶査定に対する審判事件［平成１１年　８月１７日出願公開、特開平１１−２２４８１７］について、次のとおり審決する。
【結　論】
　本件審判の請求は、成り立たない。
【理　由】
１．手続の経緯
　特許出願　　　　平成１０年　２月　６日
　審査請求　　　　平成１０年　３月１２日
　拒絶理由通知　　平成１０年１１月１１日(起案日)
　意見書　　　　　平成１１年　１月２１日
　手続補正書　　　平成１１年　１月２１日
　拒絶査定　　　　平成１２年　９月２６日(起案日)
　審判請求　　　　平成１２年１１月　２日
　手続補正書(方式)平成１２年１１月２８日
　
　なお、平成１２年１１月２８日付けの手続補正書は却下された。　　　
　
２．本願発明
　この出願の請求項に係る発明は、平成１１年１月２１日付けの手続補正で補正された明細書及び図面の記載からみて、特許請求の範囲に記載されたとおりのものと認められるところ、請求項１及び請求項２に係る発明(以下それぞれ「本願発明１」、「本願発明２」という。)は下記のとおりのものである。
　
「【請求項１】　相対的に透磁率が高い磁性体からなる複数の磁性体層と、相対的に透磁率が低い磁性体又は非磁性体の少なくともいずれか一方からなる磁束遮断層と、複数のコイル導体と、複数対の入力電極及び出力電極とを備え、前記磁性体層と前記磁束遮断層と前記コイル導体を積み重ねて、前記コイル導体にて形成された複数のソレノイド状コイルを内蔵した積層体を構成すると共に、互いに隣接するコイルの間に前記磁束遮断層を配設し、前記積層体の表面に前記磁性体層と前記磁束遮断層と前記コイル導体の積み重ね方向に対して平行な方向に前記入力電極及び出力電極を互いに対向して設け、前記ソレノイド状コイルのそれぞれの軸が前記積み重ね方向に対して平行であり、前記ソレノイド状コイルの両端部は前記磁性体層及び前記磁束遮断層に設けた引出し用ビアホールを介して前記入力電極及び出力電極に電気的に接続され、前記コイル導体と該コイル導体が形成しているコイルに隣接しているコイルの引出し用ビアホールとが同一磁性体層に配置されていることを特徴とする積層型インダクタアレイ。
　【請求項２】　前記積層体の実装面に対して前記磁性体層と磁束遮断層とコイル導体の積み重ね方向が平行であることを特徴とする請求項１記載の積層型インダクタアレイ。」
　
３．刊行物記載の発明
３−１．刊行物１：特開平７−２２２４３号公報
　原査定の拒絶の理由に引用文献２として引用した、本願の出願の日前の平成７年１月２４日に頒布された刊行物１（特開平７−２２２４３号公報）は、インダクタアレイ（発明の名称）に関するものであり、図１〜図１２と共に以下の点が記載されている。
  「図１〜図９は第１実施例のインダクタアレイを構成する基材シートを示したものである。図１に示すように、磁性体シート１ａは表面に導体を設けないもので、保護シートとして使用される。図２に示すように、磁性体シート１ｂの上面には、二つのコイル導体２が設けられ、その一方の端部２ａは磁性体シート１ｂの縁部に露出し、他方の端部にはビアホール１１が設けられている。図３に示すように、磁性体シート１ｃの上面には二つのコイル導体３が設けられ、その一方の端部にはビアホール１２が設けられ、他方の端部は接続用パッド３ａとされている。図４に示すように、磁性体シート１ｄの上面には二つのコイル導体４が設けられ、その一方の端部は接続用パッド４ａとされ、他方の端部４ｂは磁性体シート１ｄの縁部に露出している。
【０００７】
　図５に示すように、誘電体シート１ｅは表面に導体を設けていない。図６に示すように、磁性体シート１ｆは表面に導体を設けていない。図７に示すように、磁性体シート１ｇの上面には、二つのコイル導体６が設けられ、その一方の端部６ａは磁性体シート１ｇの縁部に露出し、他方の端部にはビアホール１３が設けられている。図８に示すように、磁性体シート１ｈの上面には、二つのコイル導体７が設けられ、その一方の端部にはビアホール１４が設けられ、他方の端部は接続用パッド７ａとされる。図９に示すように、磁性体シート１ｉの上面には二つのコイル導体が設けられ、その一方の端部は接続用パッド８ａとされ、他方の端部８ｂは磁性体シート１ｉの縁部に露出している。
【０００８】
　以上の構成からなるシート１ａ〜１ｉは、シート１ｉの上に順にシート１ｈ，１ｇ，…１ａを積み重ねた後、圧着、焼成され、図１０及び図１１に示されているインダクタアレイ１５とされる。インダクタアレイ１５の手前側及び奥側の側面部にはそれぞれ入出力電極１６，１７が形成されている。コイル導体２，６は入出力電極１７に電気的に接続され、コイル導体４，８は入出力電極１６に電気的に接続されている。
【０００９】
　積層された状態では、磁性体シート１ａ〜１ｄからなる磁性体部と磁性体シート１ｆ〜１ｉからなる磁性体部とが、誘電体シート１ｅからなる誘電体部を間に挟んでいる。コイル導体２，３，４はビアホール１１，１２を介して直列に接続され、インダクタ素子２１ａを形成している。コイル導体６，７，８はビアホール１３，１４を介して直列に接続され、インダクタ素子２１ｂを形成している。隣接するインダクタ素子２１ａと２１ｂは、誘電体シート１ｅからなる誘電体部を挟んでインダクタアレイ１５の厚み方向に千鳥状に配設されている。図１２はインダクタアレイ１５の電気等価回路図である。
【００１０】
　こうして得られたインダクタアレイ１５は、隣接するインダクタ素子２１ａ，２１ｂ相互間に透磁率が低い誘電体シート１ｅが存在するため、インダクタ素子２１ａ，２１ｂに発生する磁束はこの誘電体シート１ｅによって遮られ、隣接するインダクタ素子２１ａ，２１ｂ相互の電磁結合を小さくできる。この結果、隣接するインダクタ素子２１ａ，２１ｂ相互間のクロストークが抑えられたインダクタアレイ１５が得られる。」（第２頁左欄第４７行〜第３頁左欄第２行）。
　また、図１０はシートを積み重ね圧着焼成して形成されたインダクタアレイの外観を示す斜視図であり、図１１は図１０のＸＩ−ＸＩ断面図である。入出力電極１６、１７は「インダクタアレイ１５の手前側及び奥側の側面部に形成されている」（段落【０００８】）ので、図１０及び図１１を参照すると、入出力電極１６、１７をシートの積み重ね方向に対して垂直な方向に互いに対向して設けることが記載されている。
　なお、刊行物１には、図１０及び図１１に記載のインダクタアレイにおいて実装面がどの面であるかは記載されていない。
  以上まとめると刊行物１には、
「複数の磁性体シートと、透磁率が低い誘電体シートと、複数のコイル導体と、複数対の入出力電極とを備え、前記磁性体シートと前記誘電体シートと前記コイル導体を積み重ねて、前記コイル導体にて形成された複数のインダクタ素子を内蔵した積層体を構成すると共に、互いに隣接するインダクタ素子の間に前記誘電体シートを配設し、前記積層体の表面に前記磁性体シートと前記誘電体シートと前記コイル導体の積み重ね方向に対して垂直な方向に前記入出力電極を互いに対向して設け、前記インダクタ素子のそれぞれの軸が前記積み重ね方向に対して平行であり、前記インダクタ素子の両端部は前記磁性体シートの縁部に露出したコイル導体の端部を介して前記入出力電極に電気的に接続され、前記コイル導体と該コイル導体が形成しているインダクタ素子に隣接しているインダクタ素子のコイル導体の端部とが異なる磁性体シートに配置されていることを特徴とするインダクタアレイ」が記載されている。
　
３−２．刊行物２：特開平８−５５７２６号公報
　原査定の拒絶の理由に引用文献３として引用した、本願の出願の日前の平成８年２月２７日に頒布された刊行物２（特開平８−５５７２６号公報）は、積層型電子部品及びその製造方法（発明の名称）に関するものであり、図１〜図５と共に以下の点が記載されている。
「積層構造のチップ内に１乃至複数のコイルを埋設され、チップ端部にコイル端と接続する端子電極を備えた積層型電子部品において、コイルの周回中心線を端子電極を結ぶ方向と平行にした、ことを特徴とする積層型電子部品。」（特許請求の範囲の【請求項１】）、
「【００１７】
　【実施例】図１には本発明に係る積層インダクタの概略断面図を示してある。
　【００１８】同図において、１は磁性体材料或いは非磁性材料（絶縁材料）から成る直方体形状のチップ、２はチップ１内に埋設された螺旋状のコイル、３はチップ１の長手方向端部に設けられた一対の端子電極である。コイル２の周回中心線Ｙは端子電極３を結ぶ方向（チップ長手方向）と平行であり、該コイル２の端部はチップ端面まで導出され各端子電極３に接続している。
　【００１９】上記の積層インダクタでも端子電極３の４面を夫々搭載面として利用できることから、基板Ｚの導体パターンＺａ上に搭載する際に図２に示す向きとこれと９０度異なる向きとが発生することになる。しかし、コイル２の周回中心線Ｙが端子電極３を結ぶ方向（チップ長手方向）と平行であるため、搭載向きが変わっても基板面に対するコイル２の周回中心線Ｙの向きは変わることがない。
　【００２０】従って、搭載向きに拘らずコイル２と基板Ｚとの位置関係を一定に維持することができ・・・る。
　【００２１】ここで、図３乃至図５を参照して図１に示した積層インダクタの製造方法について説明する。
　【００２２】製造に際しては、まず上層用シートＡとコイル層用シートＢ１〜Ｂ４と下層用シートＣを夫々用意する（図３参照）。・・・
　【００２３】上層用シートＡは・・・フェライトグリーンシートの所定位置に所定径のスルーホールｈを形成した後、該スルーホールｈと重なるように矩形状の引出用導体Ｐａを形成することにより作成されている。
　【００２４】コイル層用シートＢ１〜Ｂ４は、上記同様のフェライトグリーンシートの所定位置にスルーホールｈを形成した後、該スルーホールｈにその端部が重なるように４種類のコ字状のコイル用導体Ｐｂ１〜Ｐｂ４を夫々形成することにより作成されている。・・・
　【００２５】下層用シートＣは、上層用シートＡと同様、フェライトグリーンシートの所定位置に所定径のスルーホールｈを形成した後、該スルーホールｈと重なるように矩形状の引出用導体Ｐｃを形成することにより作成されている。
　【００２６】・・・
　【００２７】次いで、用意した各シートＡ，Ｂ１〜Ｂ４，Ｃを・・・積層し・・・圧着する。・・・
　【００２８】次いで、各シートＡ，Ｂ１〜Ｂ４，Ｃの積層体（図４参照）を・・・焼成する。これにより、各シートＡ，Ｂ１〜Ｂ４，Ｃを介して隣接する導体Ｐａ，Ｐｂ１〜Ｐｂ４，Ｐｃがスルーホール充填部分を通じて相互に接続され積層方向の螺旋状コイル２となる。
　【００２９】次いで、焼成後のチップ１の積層方向端部に上記同様の導体ペーストＰをディップ法等の手法によって塗布し（図５参照）・・・焼き付けて端子電極３を形成し、・・・コイル２の端部（引出用導体Ｐａ，Ｐｃ）はチップ端面に導出され露出しているので、該露出部分が端子電極３と接続する」（第３頁右欄第５行〜第４頁左欄第２９行）。
　以上まとめると刊行物２には、以下の（１）〜（３）の点が記載されている。
　最初に、刊行物２には「３はチップ１の長手方向端部に設けられた一対の端子電極である。」（段落【００１８】）、「用意した各シートＡ，Ｂ１〜Ｂ４，Ｃを・・・積層し・・・圧着する。・・・次いで、各シートＡ，Ｂ１〜Ｂ４，Ｃの積層体（図４参照）を・・・焼成する。・・・次いで、焼成後のチップ１の積層方向端部に上記同様の導体ペーストＰをディップ法等の手法によって塗布し（図５参照）・・・焼き付けて端子電極３を形成し」（段落【００２７】〜段落【００２９】）と記載されている。また、上記一対の端子電極のいずれか一方が入力電極であり他方が出力電極であることは自明である。また、上記シートＡ，Ｂ１〜Ｂ４，Ｃはいずれもフェライトグリーンシートにより形成されている（段落【００２３】〜段落【００２５】）ので、本願発明の磁性体層に相当する。したがって、刊行物２には、（１）積層体の表面に磁性体層とコイル導体の積み重ね方向に対して平行な方向に入力電極及び出力電極を互いに対向して設けること、が記載されている。
　次に、刊行物２には、「上層用シートＡは・・・フェライトグリーンシートの所定位置に所定径のスルーホールｈを形成した後、該スルーホールｈと重なるように矩形状の引出用導体Ｐａを形成することにより作成されている。」（段落【００２３】）、「下層用シートＣは、上層用シートＡと同様、フェライトグリーンシートの所定位置に所定径のスルーホールｈを形成した後、該スルーホールｈと重なるように矩形状の引出用導体Ｐｃを形成することにより作成されている。」（段落【００２５】）、及び、「コイル２の端部（引出用導体Ｐａ，Ｐｃ）はチップ端面に導出され露出しているので、該露出部分が端子電極３と接続する」（段落【００２９】）と記載されており、積層インダクタの製造方法を示す図３には上記スルーホールｈはコイルの軸方向に平行に引き出されることが記載されている。したがって、刊行物２には、（２）コイルの両端部が、上層用又は下層用シートに設けたスルーホール及び引出用導体を介して端子電極に電気的に接続されること、が記載されている。
　最後に、刊行物２には「上記の積層インダクタでも端子電極３の４面を夫々搭載面として利用できる」（段落【００１９】）と記載されており、積層インダクタの概略斜視図である図２には、コイル２の端部が導出されたチップ１の両端面以外の一側面を実装面として実装すること、及び、該一側面はチップ１の周回中心線に対して平行な面となっていることが記載されている。また、上記周回中心線はシートの積層方向に平行となっている。したがって、刊行物２には、（３）チップの実装面をシートの積層方向に対して平行とすること、が記載されている。
　
４．本願発明１についての検討
４−１．本願発明１と刊行物記載の発明との対比
　本願発明１と上記刊行物１記載の発明とを対比すると、刊行物１に記載された「磁性体シート」、「入出力電極」、「インダクタ素子」はそれぞれ本願発明の「磁性体層」、「入力電極及び出力電極」、「ソレノイド状コイル」に相当している。
　また、「インダクタ素子２１ａ，２１ｂに発生する磁束はこの誘電体シート１ｅによって遮られ、隣接するインダクタ素子２１ａ，２１ｂ相互の電磁結合を小さくできる」（刊行物１の段落【００１０】）のであるから、刊行物１に記載された「誘電体シート」は本願発明の「磁束遮断層」に相当するものである。また、「誘電体シート」は「透磁率が低い」（同段落【００１０】）のであるから「磁性体シート」は相対的に透磁率が高く「誘電体シート」は相対的に透磁率が低いことは明らかであり、「誘電体シート」によって「磁束は遮られ」（同段落【００１０】）るのであるから「誘電体シート」は透磁率が低い磁性体又は非磁性体のいずれかである。
　また、刊行物１に記載された「インダクタアレイ」は磁性体シート、誘電体シート、コイル導体を積層して形成されているので、該インダクタアレイは積層体として構成されており、本願発明の「積層型インダクタアレイ」に相当するものである。
　したがって、本願発明と刊行物１記載の発明とは、
「相対的に透磁率が高い磁性体からなる複数の磁性体層と、相対的に透磁率が低い磁性体又は非磁性体の少なくともいずれか一方からなる磁束遮断層と、複数のコイル導体と、複数対の入力電極及び出力電極とを備え、前記磁性体層と前記磁束遮断層と前記コイル導体を積み重ねて、前記コイル導体にて形成された複数のソレノイド状コイルを内蔵した積層体を構成すると共に、互いに隣接するコイルの間に前記磁束遮断層を配設し、前記ソレノイド状コイルのそれぞれの軸が前記積み重ね方向に対して平行であり、前記ソレノイド状コイルの両端部は前記入力電極及び出力電極に電気的に接続されていることを特徴とする積層型インダクタアレイ。」の点で一致し、
１）本願発明が「前記積層体の表面に前記磁性体層と前記磁束遮断層と前記コイル導体の積み重ね方向に対して平行な方向に前記入力電極及び出力電極を互いに対向して設け」ているのに対して、刊行物１に記載された発明が「前記積層体の表面に前記磁性体シートと前記誘電体シートと前記コイル導体の積み重ね方向に対して垂直な方向に前記入出力電極を互いに対向して設け」ている点（以下「相違点１」という）、
２）本願発明が「前記ソレノイド状コイルの両端部は前記磁性体層及び前記磁束遮断層に設けた引出し用ビアホールを介して前記入力電極及び出力電極に電気的に接続され」るのに対して、刊行物１に記載された発明が「前記インダクタ素子の両端部は前記磁性体シートの縁部に露出したコイル導体の端部を介して前記入出力電極に電気的に接続され」る点（以下「相違点２」という）、及び
３）本願発明が「前記コイル導体と該コイル導体が形成しているコイルに隣接しているコイルの引出し用ビアホールとが同一磁性体層に配置されている」のに対して、刊行物１に記載された発明が「前記コイル導体と該コイル導体が形成しているインダクタ素子に隣接しているインダクタ素子の端部とが異なる磁性体シートに配置されている」点、（以下「相違点３」という）、
で相違している。
　
４−２．当審の判断
４−２−１．相違点１及び相違点２について
　上記刊行物２には、「３−２．刊行物２」でまとめたように、コイルの軸がシート積層方向に平行に形成された積層インダクタのチップにおいて、（１）積層体の表面に磁性体層とコイル導体の積み重ね方向に対して平行な方向に入力電極及び出力電極を互いに対向して設けること、及び、（２）コイルの両端部が、上層用又は下層用シートに設けたスルーホール及び引出用導体を介して端子電極に電気的に接続されることが記載されている。
　そして、上記刊行物１に記載のインダクタアレイ及び上記刊行物２に記載の積層インダクタのいずれにおいても、そのコイル（又はインダクタ素子）の軸がシートの積層方向と平行に形成されている点で共通しているので、刊行物１に記載のインダクタアレイにおいて、チップにおける入力電極・出力電極の位置、及びコイルの両端部の引き出し方について、刊行物２に記載された上記（１）、（２）の構成を採用することは、当業者にとって容易になし得たことである。
　即ち、刊行物１に記載のインダクタアレイにおいて、上記相違点１については、刊行物２に上記（１）の点が記載されていることに基づいて、「積層体の表面に磁性体層と磁束遮断層とコイル導体の積み重ね方向に対して平行な方向に入力電極及び出力電極を互いに対向して設け」るようにし、上記相違点２については、刊行物２に上記（２）の点が記載されていることに基づいて、「ソレノイド状コイルの両端部は磁性体層及び磁束遮断層に設けた引出し用ビアホールを介して入力電極及び出力電極に電気的に接続され」るようにすることは、当業者が容易になし得たことである。
　
４−２−２．相違点３について
　上記刊行物１に記載のインダクタアレイにおいて、上記（２）の構成「コイルの両端部が、上層用又は下層用シートに設けたスルーホール及び引出用導体を介して端子電極に電気的に接続されること」を採用するということは、刊行物１の図２、図４、図７、図９に記載されたコイル導体の端部２ａ、４ｂ、６ａ、８ｂを、それぞれ磁性体シート１ｂ、１ｄ、１ｇ、１ｉの縁部に露出することに代えて、各インダクタ素子２１ａ、２１ｂの上層用又は下層用シートに相当する磁性体シート及び誘電体シートに設けたスルーホール及び引出用導体を介して入力電極及び出力電極に接続されるようにするということであり、このとき、例えば磁性体シート１ｂには、コイル導体２と、コイル導体６に接続されるスルーホール及び引出用導体とが形成されることとなる。そして、上記「スルーホール及び引出用導体」は本願発明で言うところの「引出し用ビアホール」に相当するものである。
　したがって、上記相違点３については、刊行物１に記載のインダクタアレイにおいて、上記（２）の構成を採用することに伴って、「コイル導体と該コイル導体が形成しているコイルに隣接しているコイルの引出し用ビアホールとが同一磁性体層に配置されている」構成とすることは当業者が容易になし得たことである。
　なお、コイル導体とビアーホールを同一のシートに配置する点については、例えば、実開平６−２６２１６号公報（図２のコイルパターン１２、第２のビアホール導体１４に注意）及び特開平２−３１０９０５号公報（第５図のバイアホール２６及び導電ライン１４ｂ、１４ｃに注意）に記載されている。
　
５．本願発明２についての検討
５−１．本願発明２と刊行物記載の発明との対比
　本願発明２は本願発明１の構成要件をさらに限定したものであり、本願発明２と上記刊行物１記載の発明とを対比すると、「４−１．本願発明１と刊行物記載の発明との対比」で指摘した一致点及び相違点に加えて、さらに次の点で相違する。
　即ち、本願発明が「前記積層体の実装面に対して前記磁性体層と磁束遮断層とコイル導体の積み重ね方向が平行である」のに対して、刊行物１にはインダクタアレイの実装面がどこであるか明記されておらず、したがって、実装面とシートの積み重ね方向の関係が不明である点（以下「相違点４」という）で相違している。
　
５−２．当審の判断
５−２−１．相違点４について
　上記刊行物２には、「３−２．刊行物２」でまとめたように、コイルの軸がシート積層方向に平行に形成された積層インダクタのチップにおいて、（３）チップの実装面をシートの積層方向に対して平行とすること、が記載されている。
　そして、上記刊行物１に記載のインダクタアレイ及び上記刊行物２に記載の積層インダクタのいずれにおいても、そのコイル（又はインダクタ素子）の軸がシートの積層方向と平行に形成されている点で共通しているので、刊行物１に記載のインダクタアレイにおいて、チップにおける実装面の位置について、刊行物２に記載された上記（３）の構成を採用することは当業者にとって容易になし得ることである。
　即ち、刊行物１に記載のインダクタアレイにおいて、上記相違点４については、刊行物２に上記（３）の点が記載されていることに基づいて、「積層体の実装面に対して磁性体層と磁束遮断層とコイル導体の積み重ね方向が平行である」ようにすることは、当業者が容易になし得たことである。
　
６．結び
　したがって、本願発明１及び本願発明２は上記刊行物１及び刊行物２に記載された発明に基づいて当業者が容易に発明できたものであるから、特許法第２９条第２項の規定により特許を受けることができない。
　よって、結論のとおり審決する。